(57)【特許請求の範囲】
【請求項１】
建物外壁に取り付けられる持ち出し構造を有するユニット式のバルコニーであって、
前記建物外壁から外方へ突設され水平方向に平行に設置された複数の棒状の部材である一対の腕木と、
前記一対の腕木に両端部を取り付けられる平板状の部材である床ユニットと、
前記床ユニットを前記腕木に沿って外方に移動可能とするとともに上方へも移動可能とする移動機構と、を備え、
施工時に前記床ユニットの移動後の姿勢で、前記床ユニットと前記建物外壁との間に間隔が設けられることを特徴とするバルコニー。
【請求項２】
前記移動機構が、
前記一対の腕木のそれぞれの側面から突出して配置された棒状の摺動保持部材と、
前記床ユニットの側面に鉛直方向に傾斜を有する斜行したスリットと、を備え、
前記摺動保持部材が、前記スリットの内側を移動可能とすることにより、前記床ユニットが前記腕木に沿って外方に移動可能とされるとともに上方へも移動可能とされることを特徴とする請求項１に記載のバルコニー。
【請求項３】
建物外壁に取り付けられる持ち出し構造を有するユニット式のバルコニーであって、
前記建物外壁から外方へ突設され水平方向に平行に設置された複数の棒状の部材である一対の腕木と、
前記一対の腕木に両端部を取り付けられる平板状の部材である床ユニットと、
前記床ユニットを前記建物外壁部に平行な軸を中心に回動可能とする回動機構と、を備え、
施工時に前記床ユニットの回動後の姿勢で、前記床ユニットと前記建物外壁との間に間隔が設けられ、
前記回動機構が、
前記床ユニットの前記一対の腕木と面した側面から突出して配置された棒状の回動軸部材と、
前記一対の腕木のそれぞれに水平に設けられたスリットと、を備え、
前記回動軸部材が前記スリットの内側に配置されることにより、前記回動軸部材を軸として前記床ユニットが回動可能となることを特徴とするバルコニー。
【発明の詳細な説明】
【技術分野】
【０００１】
本発明は、住宅や公共施設等の建物に備えられるバルコニーに関し、詳しくは施工する際に利便性の高い構造を有するバルコニーに関する。
【背景技術】
【０００２】
バルコニーは、住宅や公共施設等の建物の使用者が室内にいるのと同様な感覚で外気や陽光に触れることができることや、建物の外観に優れている等の観点から、新築やリフォームの際に施工する例が増えてきている。特に建物壁面から持ち出す形式のバルコニーは、かかる快適性と優れた意匠性とを兼ね備えていることから人気が高い。
【０００３】
従来、このバルコニーは、建物躯体にバルコニー固定用の先付け金具（以下において「腕木」と記載することがある。）と、床ユニットと、床板と、立設壁部と、手摺部とを備えていた。ここで、かかる構成を有するバルコニーを施工する際、建物の他の部位における施工との関係で、以下のような工程を有していた。すなわち、まず建物駆体に腕木を、バルコニーを設置する幅で所定間隔で取り付け、この腕木に干渉しないように建物周囲全体に連続した足場を組み立てる。次にこの足場を利用して建物外壁の施工（例えばサイディング材の取り付け）を行う。そしてバルコニーを施工すべき部分の足場を解体した後に上記腕木にバルコニーの床ユニットを取り付け、さらにバルコニーの形状に合わせてバルコニー部分の足場を組み直してバルコニー各部の施工を行っていた。
【０００４】
これらバルコニーの施工手順については、従来のバルコニーの有する構造上、施工する当業者により差異はあるものの、その概要においては上記に示したとおりである。このことは特に文献によって開示されているものではないが、当業者によって行われており、実際のバルコニー施工に適用されている事項である。
【発明の開示】
【発明が解決しようとする課題】
【０００５】
しかし、従来のバルコニーの構造では、上記のように足場を組み立てたりはずしたりする工程を二度経ているため手間がかかり、これが工期短縮や施工費削減に対して問題点となっていた。
【０００６】
そこで、本発明はより簡易な方法で施工費用の削減や工期の短縮化が可能であるバルコニーを提供することを課題とする。
【課題を解決するための手段】
【０００７】
発明者は、鋭意検討の結果、最初の足場組み立ての際にバルコニーの床ユニットを足場として利用することができ、その後も足場の組み換えを必要としないで施工可能である構造を有するバルコニーを開発した。以下、本発明について説明する。なお、本発明の理解を容易にするために添付図面の参照符号を括弧書きにて付記するが、それにより本発明が図示の形態に限定されるものではない。
【０００８】
請求項１の発明は、建物外壁に取り付けられる持ち出し構造を有するユニット式のバルコニー（１０）であって、建物外壁から外方へ突設され水平方向に平行に設置された複数の棒状の部材である一対の腕木（５０）と、一対の腕木に両端部を取り付けられる平板状の部材である床ユニット（４０）と、床ユニットを腕木に沿って外方に移動可能とするとともに上方へも移動可能とする移動機構（４３、４５）とを備え、施工時に床ユニットの移動後の姿勢で、床ユニットと建物外壁との間に間隔が設けられることを特徴とするバルコニーにより前記課題を解決する。
【０００９】
請求項２の発明は、請求項１に記載のバルコニー（１０）の前記移動機構が、一対の腕木（５０）のそれぞれの側面から突出して配置された棒状の摺動保持部材（４５）と、床ユニットの側面に鉛直方向に傾斜を有する斜行したスリット（４３ｂ）とを備え、摺動保持部材が、スリットの内側を移動可能とすることにより、床ユニットが腕木に沿って外方に移動可能とされるとともに上方へも移動可能とされることを特徴とする。
【００１２】
請求項３の発明は、建物外壁に取り付けられる持ち出し構造を有するユニット式のバルコニー（２１０）であって、建物外壁から外方へ突設され水平方向に平行に設置された複数の棒状の部材である一対の腕木（２５０）と、一対の腕木に両端部を取り付けられる平板状の部材である床ユニット（２４０）と、床ユニットを建物外壁部に平行な軸を中心に回動可能とする回動機構（２５１、２５２）とを備え、床ユニットの回動後の姿勢で、床ユニットと建物外壁との間に間隔が設けられ、回動機構（２５１、２５２）が、床ユニット（２４０）の一対の腕木（２５０）と面した側面から突出して配置された棒状の回動軸部材（２５２）と、一対の腕木のそれぞれに水平に設けられたスリット（２５１）とを備え、施工時に回動軸部材がスリットの内側に配置されることにより、回動軸部材を軸として床ユニットが回動可能とされることを特徴とするバルコニーにより前記課題を解決する。
【発明の効果】
【００１３】
請求項１の発明によれば、床ユニットを建物から離してかつ上方に移動することができるので、建物と床ユニットとの間に間隔を形成することが可能となる。これにより床ユニットを取り付けた後にでも建物の外壁工事等を行うことができ、バルコニーの床ユニットを工事の最初から足場として利用することが可能となる。従ってバルコニー設置に際して、足場の解体、再構築をする必要がなくなり、費用及び工数の削減ができるので、コスト低減が可能なバルコニーを提供することができる。
【００１４】
請求項２の発明によれば、請求項１に記載の床ユニットの移動を容易に行うことができ、さらに施工効率の良いバルコニーを提供することができる。
【００１６】
請求項３の発明によれば、床ユニットを回動して建物と床ユニットとの間に間隔を形成することが可能となる。これにより床ユニットを取り付けた後にでも建物の外壁工事等を行うことができ、バルコニーの床ユニットを工事の最初から足場として利用することが可能となる。従ってバルコニー設置に際して、足場の解体、再構築をする必要がなくなり、費用及び工数の削減ができるので、コスト低減が可能なバルコニーを提供することができる。
【００１７】
また、請求項３の発明によれば、床ユニットの回動を容易に行うことができ、さらに施工効率の良いバルコニーを提供することができる。
【００１８】
本発明のこのような作用及び利得は、次に説明する発明を実施するための最良の形態から明らかにされる。
【発明を実施するための最良の形態】
【００１９】
以下本発明を図面に示す実施形態に基づき説明する。
【００２０】
図１は、第一実施形態にかかる本発明のバルコニ−１０の外観斜視図である。図１は室外側からバルコニー１０を見た図である。バルコニー１０は、建物１に備えられた窓２の室外側に配置され、外壁３から持ち出される形式のバルコニーである。バルコニー１０はその外観視で、立設壁部２０、２０、２０と、底部３０（底部３０は図１では死角となり見えない。）とを主要に備えている。底部３０は、バルコニー１０の床を形成し、建物１の外壁３から略水平に突出して配置される。立設壁部２０、２０、２０は、底部３０の４辺のうち建物に面していない３辺の端部から立設して配置された壁で、バルコニー１０の外郭を形成している。立設壁部２０、２０、２０の外面にはサイディング２１、２１、２１…が取り付けられたり、設けられたスリットの内側にフェンス２２、２２が配置されたりすることにより意匠性に優れたバルコニー１０とされている。
【００２１】
図２は、バルコニー１０の底部３０の周辺に注目して示した図で、図２（ａ）が、室外視正面からの断面図で特に右端部を示している。図２（ｂ）は、室外側からバルコニー１０を見て右側面の断面図を示している。従って図２（ｂ）では、紙面右側に建物１が配置され、そこから紙面左方向にバルコニー１０が持ち出されている。図２（ｂ）に示したように、バルコニー１０の床部３０は、腕木５０と、床ユニット４０と、床板３１と、軒天３２とを主要に備えている。腕木５０は、一端を建物１に固定して取り付けられるとともに建物から離れる方向（紙面左方向）に延設された部材であり、バルコニー１０の荷重の一部を支えている。腕木５０は後述するように１つのバルコニー１０に複数備えられており所定の間隔で水平方向に平行に配置されている（図３参照）。
【００２２】
床ユニット４０は、全体として板状である部材で、複数の腕木５０、５０の間に配置され、当該腕木５０にその両端部が取り付けられている。床ユニット４０は、矩形の枠体である床フレーム４１と床下地材４２を有しており、床フレーム４１の左右両側面が腕木５０、５０に取り付けられ、床フレーム４１の上から床下地材４２がかぶせられるように設置されている。また床フレーム４１の腕木５０と取り付けられる側面にはスリット４３、４３が設けられている。この腕木５０及び床ユニット４０の構成及びその配置については後で説明する。
【００２３】
さらに底部３０には、床ユニット４０の上に床板３１が、下に軒天３２が備えられる。軒天３２は、底部３０の下部で当該底部３０の建物側端部と当該建物側端部に対向する端部とに配置された略コの字の断面形状を有する一対の軒天保持部材３３、３４の内側に軒天３２の建物側と当該建物側に対向する端部を差し込まれることにより保持されている。さらに軒天３２は、軒天押さえ３５により下方に付勢され移動し難いよう押さえられている。軒天押さえ３５はいわゆる板ばねにより構成されており、これにより軒天３２をねじどめする必要がなくなり、非常に施工性の高いバルコニー１０とすることができる。軒天３２におけるバルコニー１０の幅方向の連結は図２（ａ）に示したように、端部同士が上下で係合し、これによっても安定して配置可能な軒天３２を備えたバルコニー９０を提供することができる。
【００２４】
次に、腕木５０、５０及び床ユニット４０について説明する。図３は腕木５０、５０と床ユニット４０とが組み立てられた状態を示す斜視図である。図３では紙面右上に建物１が配置され、紙面左下方向に腕木５０、５０及び床ユニット４０が持ち出されるように配置されている。上述したように、腕木５０、５０は、バルコニー１０の幅方向に所定の間隔を有して複数配置されている。そして腕木５０、５０の間に床ユニット４０が配置される。
【００２５】
図４は、床ユニット４０の側面図である。図４では、紙面右側に建物１が配置され、紙面左方向に持ち出されるように床ユニット４０が配設される。図４からわかるように、床ユニット４０の側面には、建物内外方向に並べられて２つのスリット４３、４３が設けられている。各スリット４３、４３は、床フレーム４１側面の上部に水平に設けられたスリット４３ａ、４３ａと、当該スリット４３ａ、４３ａの建物側端部から延設され、建物１に近い側端部が低くなるような傾斜を有する斜行したスリット４３ｂ、４３ｂと、当該スリット４３ｂ、４３ｂの建物側端部からさらに建物１に近づく方向に水平に延設されたスリット４３ｃ、４３ｃとを有している。また、各スリット４３、４３の建物側で床フレーム４１の上部には、係止部材４４、４４が設けられている。これはバルコニー１０の幅方向（紙面手前側）に突出して配置される部材で、当該部材の上部のみが床フレーム４１と接合されている。従って後述するように床フレーム４１と係止部材４４、４４との間には間隔が形成され、当該間隔に腕木５０を掛けるように配置することができる。
【００２６】
ここでは、床ユニット４０の一方の側面についてのみ説明したが、当該側面に対向する他方の側面にも同様の形態を有するスリット及び係止部材が備えられている。
【００２７】
次に、以上のような構造を有する床ユニット４０と腕木５０との位置関係や移動の形態を説明する。図５（ａ）は、床ユニット４０と腕木５０とが連結されたときの側面図である。図５（ａ）では紙面右側に建物１が配置され紙面左方向に持ち出される。図５（ｂ）は、床ユニット４０が移動した後の姿勢を示した側面図で、図５（ａ）と同じ視点からの図である。
【００２８】
図５（ａ）で、係止部材４４、４４は上述したように腕木５０、５０に掛けるように床ユニット４０を係止することができる構造を有しており、係止部材４４、４４は主に床ユニット４０の下への移動を禁止するものである。従って、係止部材４４、４４が備えられていても床ユニット４０の建物内外方向及び上方向への移動は、係止部材４４、４４によっては禁止されない。
【００２９】
摺動保持部材４５、４５は、腕木５０の側面から床ユニット４０側に突出して配置される棒状の部材で、スリット４３、４３の幅より若干小さく形成されている。そして床ユニット４０の図５（ａ）の姿勢で、スリット４３ａの内側に配置されている。よって、摺動保持部材４５、４５はスリット４３、４３の内側を移動することができる。一方、摺動保持部材４５、４５は腕木５０、５０には固定して取り付けられているので、摺動保持部材４５、４５自体は移動することができない。従って、これに対応するように床ユニット４０が移動する。これによって、床ユニット４０は、スリット４３、４３の形状に沿ってスリット４３ｂ、４３ｂ、及びスリット４３ｃ、４３ｃの内側を順次移動し、図５（ｂ）に示したような姿勢に移動させることができる。
【００３０】
摺動保持部材４５、４５の構成は特に限定されるものではく、腕木５０、５０に固定して取り付けられると共にスリット４３、４３内に配置され、床ユニット４０の移動を可能とするものであればよい。本実施形態では通しボルト及びナットにより摺動保持部材４５、４５が形成されている。これにより、ボルトとナットの関係で床ユニット４０の移動の禁止と許容とを切り替えることもできるので利便性が向上される。
【００３１】
次にバルコニー１０の施工手順について説明する。理解容易のために最初に従来におけるバルコニーの施工手順について説明する。従来の施工手順については、図１４及び図１５を参照しつつ説明する。図１４は、図１４（ａ）〜（ｅ）においてその手順を並べて示した概略図である。図１５は、特に足場を組む位置に着目して示した概略的な図で、図１５（ａ）、（ｂ）は上面図、図１５（ｃ）は正面図である。
【００３２】
はじめに、図１４（ａ）に示したように建物外壁部の躯体部分に腕木を取り付ける。腕木は建物から略水平方向に張り出すように建物外壁部に対して略直角に取り付けられる。取り付ける腕木の数は、施工するバルコニーの幅や重量等を考慮の上、必要に応じて増減することができる。図１４（ａ）の場合には２本の腕木が取り付けられる。腕木間の距離は、施工すべきバルコニーの幅に略等しくなるように施工する。
【００３３】
次に、足場の組み立てを行う。これは建物外壁の工事のための足場となるので、腕木を避けて図１５（ａ）に示したように、建物外壁の工事ができるように足場が設置される。このとき図１４（ｂ）に示したように足場のプレートを腕木に載置するようにしてもよい。二階建ての建物の場合には、図１５（ｃ）に示したように足場は一階の床の高さ部分、二階の床の高さ部分、及び二階天井の高さ部分の３段階の高さに組み立てる。また、足場は建物周囲を囲むように連続形状に組み立てられる。
【００３４】
次には、図１４（ｃ）に示したように、上記のように組み立てられた足場を利用して建物外壁の工事を行う。例えば、建物外壁としてサイディング材の取り付け等を行う。また、必要に応じて塗装が行われることもある。
【００３５】
さらに、次には図１４（ｄ）に示したように、バルコニーを設置すべき箇所に組まれた足場を解体する。これは、建物外壁の施工が完了した後に行われ、例えば二階部分のみにバルコニーを設置しようとする場合、当該二階のバルコニー設置部分にかかる足場を解体する。また、一階及び二階部分両方にバルコニーを設置しようとする場合には、一階と二階とのバルコニー設置予定部分の足場を解体する。
【００３６】
足場の解体後、バルコニーの施工スペースを確保するように図１５（ｂ）に示した配置で足場を再度組み立てる。そして図１４（ｅ）に示したように、腕木にバルコニーの床フレーム及び床下地材を取り付ける。腕木への床フレームの取り付けと足場の再構築の順序はいずれが先でも良い。
【００３７】
そして、再構築した足場を利用してバルコニーの床部、立設壁部及び手摺等の施工を行う。バルコニーの施工が終了したら足場全体を解体する。
【００３８】
従来においては、以上のようにバルコニーを施工しており、その構造上建物外壁工事の後、バルコニーを施工する間に足場の解体及び再構築が必要であり、時間、コスト等の問題があった。
【００３９】
次に本発明のバルコニー１０の施工手順について説明する。バルコニー１０の施工手順については、図６及び図７を参照しつつ説明する。図６は、図６（ａ）〜（ｄ）において施工手順を並べて示した概略図である。図７は、特に足場６０を組む位置に着目して示した概略的な図で、図７（ａ）は上面図、図７（ｂ）は正面図である。
【００４０】
はじめに、図６（ａ）に示したように建物１の躯体部分に腕木５０、５０を取り付ける。これについては従来の施工手順と同じで、腕木５０、５０は建物から略水平方向に張り出すように建物１の外壁部に対して略直角に取り付けられる。取り付ける腕木の数は、施工するバルコニーの幅や重量等を考慮の上、必要に応じて増減することができる。図６（ａ）の場合は２本の腕木５０、５０が取り付けられる。腕木５０、５０間の距離は施工すべきバルコニー１０の幅に略等しくなるように施工する。
【００４１】
次に、足場６０の組み立てを行う。このときバルコニー１０では、図６（ｂ）に示したように、上記にて建物１に取り付けた腕木５０、５０を足場６０として利用する。すなわち、この段階で腕木５０、５０に床ユニット４０を取り付けて足場６０の一部とする。二階建ての建物の場合には、図７（ｂ）に示したように足場６０は一階の床の高さ部分、二階の床の高さ部分、及び二階天井の高さ部分の３段階の高さに組み立てる。このうち一階床高さ部分、及び二階床高さ部分について床ユニット４０を足場６０として利用する。また、図７（ａ）に示したように、足場６０は建物１周囲を囲むように連続形状に組み立てられる。図７（ａ）及び（ｂ）にＢで示したバルコニー１０の設置予定部の足場６０は、腕木５０、５０上に取り付けられた床ユニット４０である。
【００４２】
次には、上記のように組み立てられた足場６０を利用して建物１の外壁工事を行う。このとき、建物１の外壁と床ユニット４０とが接する部位の外壁の施工が困難な場合がある。本発明のバルコニー１０では、上述のように床ユニット４０が腕木５０、５０に沿って建物１から遠ざかる方向に移動するとともに、上方に移動することができる構造を有している。従って、図６（ｃ）に矢印Ａで示したように床ユニット４０を移動させ、建物１の外壁と床ユニット４０との間に空間を作ることができるので、建物１の外壁の施工を行うことができる。
【００４３】
そして、図６（ｄ）に示したように建物１の外壁施工が終了した後、床ユニット４０を建物１側に戻すように移動してバルコニー１０の他の部位の施工を行う。
【００４４】
以上に説明したように、本発明の施工方法によれば、バルコニー１０の床ユニット４０を足場として利用するので、従来のようにバルコニー１０設置の前後において二度にわたって足場を組み上げる必要がない。従って、足場の取り付け費用、足場の取り外し費用の削減、足場板のレンタル費用の削減、及び工事期間の短縮などに資することができる。
【００４５】
図８は第二実施形態にかかるバルコニー１１０に備えられる床ユニット１４０の側面図である。図８では、紙面右側に建物１が配置され、当該建物１から離れる方向である紙面左側に持ち出すようにされている。床ユニット１４０は、第一実施形態で説明した床ユニット４０と同様に床フレーム１４１と、床下地材１４２と、係止部材１４４、１４４とを有する。そして、床ユニット１４０では、床下地材１４２の建物１に近い部分１４２ａ及び床フレーム１４１の建物１に面した部材１４１ａが、床フレーム１４０から分割された構造を有している。ここで、床フレーム１４１ａと床下地材１４２ａとは連結して一体とされている。
【００４６】
分割された床下地材床下地材１４２ａ、１４２ｂで、建物１に近い側の床下地材１４２ａの建物１から遠い側の端部には被支持部材１４２ｃを有している。被支持部材１４２ｃは一方の端部を床下地材１４２ａの端部に取り付けられるとともに他端部は下方に延設されさらに端部で上方に向きを変えて延設されるような断面を有する部材である。
【００４７】
一方、建物１から遠い側の床下地材１４２ｂは、建物１に近い側の端部に支持部材１４２ｄを有している。支持部材１４２ｄは一方の端部を床下地材１４２ｂの端部に取り付けられるとともに他端部は下方に延設されさらに端部で上方に向きを変えて延設されるような断面を有する部材である。そして、床下地材１４２ａと床下地材１４２ｂとが床フレーム１４１に載置された姿勢で、被支持部材１４２ｃが支持部材１４２ｄの上に配置され、その結果床下地材１４２ｂが床下地材１４２ａを支持する。
【００４８】
また、係止部材１４４、１４４は、第一実施形態における係止部材４４、４４と同じ構成を有しており、床ユニット１４０を腕木１５０に引っ掛けるように支持することができる。従って、床フレーム１４１ａと床下地材１４２ａとは、床ユニット１４０に取り付けられた場合には、上述の被支持部材１４２ｃ及び支持部材１４４とにより保持される。
【００４９】
次に、以上のような構造を有する床ユニット１４０と腕木１５０との位置関係や移動の形態を説明する。図９（ａ）は、床ユニット１４０が腕木１５０に取り付けられたときの側面図である。図９（ａ）では床ユニット１４０の紙面右側に建物１が配置され、紙面左方向に持ち出される。図９（ｂ）は、床ユニット１４０の床フレーム１４１ａ及び床下地材１４２ａが取り外された後の姿勢を示した側面図で、図９（ａ）と同じ視点からの図である。上述したように床ユニット１４０の床フレーム１４１ａと床下地材１４２ａとは取り外すことができるように構成されている。従って図９（ｂ）に示したように、床フレーム１４１ａ及び床下地材１４２ａを取り外すことにより、床ユニット１４０の建物１と床下地材１４２ｂとの間に空間を形成することができる。
【００５０】
次に本発明のバルコニー１１０の施工手順について説明する。バルコニー１１０の施工手順については、図１０及び図７を参照しつつ説明する。図１０は、図１０（ａ）〜（ｄ）において施工手順を並べて示した概略図である。図７は、特に足場６０を組む位置に着目して示した概略的な図で、図７（ａ）は上面図、図７（ｂ）は正面図である。図７は、第一実施形態のバルコニー１０を説明するときにも参照した図であるが、内容が共通なのでここでも参照する。
【００５１】
はじめに、図１０（ａ）に示したように建物１の躯体部分に腕木１５０、１５０を取り付ける。これについては従来の施工手順と同じで、腕木１５０、１５０は建物から略水平方向に張り出すように建物１の外壁部に対して略直角に取り付けられる。取り付けられる腕木１５０、１５０の数は、施工するバルコニーの幅や重量等を考慮の上、必要に応じて増減することができる。図１０（ａ）の場合は２本の腕木１５０、１５０が取り付けられる。腕木１５０、１５０間の距離は、施工すべきバルコニーの幅に略等しくなるように施工する。
【００５２】
次に、足場６０の組み立てを行う。このときバルコニー１１０では、図１０（ｂ）に示したように、上記にて建物に取り付けた腕木１５０、１５０を足場として利用する。すなわち、この段階で腕木１５０、１５０に床ユニット１４０を取り付けて足場６０の一部とする。二階建ての建物の場合には、図７（ｂ）に示したように足場６０は一階の床の高さ部分、二階の床の高さ部分、及び二階天井の高さ部分の３段階の高さに組み立てる。このうち一階床高さ部分、及び二階床高さ部分について床ユニット１４０を足場６０として利用する。また、図７（ａ）に示したように、足場６０は建物１周囲を囲むように連続形状に組み立てられる。図７（ａ）、（ｂ）にＢで示したバルコニー１１０の設置予定部の足場６０は、腕木１５０、１５０上に取り付けられた床ユニット１４０である。
【００５３】
次には、上記のように組み立てられた足場６０を利用して建物１の外壁工事を行う。このとき、建物１の外壁と床ユニット１４０とが接する部位の外壁の施工が困難な場合がある。本発明のバルコニー１１０では、上述のように、床フレーム１４１ａ及び床下地材１４２ａを分割して取り外すことができる構造を有している。そこで、当該床フレーム１４１ａ及び床下地材１４２ａを取り外す。これにより、図１０（ｃ）に示したように、建物１の外壁と床ユニット１４０と間に空間を作ることができるので、建物１の外壁施工を円滑に行うことができる。
【００５４】
そして、図１０（ｄ）に示したように建物１の外壁施工が終了した後、外してあった床フレーム１４１ａ及び床下地材１４２ａを床ユニット１４０に取り付け、バルコニー１１０の他の部位の施工を行う。
【００５５】
以上に説明したように、本発明の施工方法によれば、バルコニー１１０の床ユニット１４０を足場として利用するので、従来のようにバルコニー設置の前後において二度にわたって足場を組み上げる必要がない。従って、足場の取り付け費用、足場の取り外し費用の削減、足場板のレンタル費用の削減、及び工事期間の短縮などに資することができる。
【００５６】
図１１は第三実施形態にかかる本発明のバルコニー２１０が備える腕木２５０と床ユニット２４０とが連結された場面における、当該腕木２５０及び床ユニット２４０の側面図である。図１１では、紙面右側に建物１が配置され、紙面左方向に持ち出されるように腕木２５０及び床ユニット２４０が取り付けられている。図１１からわかるように、本実施形態では、腕木２５０に水平スリット２５１が設けられている。そして、また、床ユニット２４０には、当該床ユニット２４０から腕木２５０の方向に突出して配置され、スリット２５１を貫通して取り付けられる回動軸部材２５２を有している。回動軸部材２５２は、スリット２５１のスリット幅よりも若干細く形成されており、スリット内を移動可能とされている。さらに本実施形態においても係止部材２４４、２４４が床ユニット２４０の腕木２５０の先端部に位置する部位に取り付けられている。係止部材２４４、２４４の構造は第一実施形態における係止部材４４及び第二実施形態における１４４と同様、床ユニット２４０の側面から突出して備えられた板状の部材で、当該板状の部材の上部のみが床ユニットと接合され、腕木２５０に掛けることができるようにされている。従って、係止部材２４４、２４４によっては床ユニット２４０の下への移動は禁止されるが建物内外方向への移動は許容されている。
【００５７】
ここでは、腕木２５０及び床ユニット２４０の一方の側面についてのみ説明したが、当該側面に対向する他方の側面にも同様の形態を有する腕木２５０、水平スリット２５１及び回動軸部材２５２が備えられている。
【００５８】
ここで回動軸部材２５２の構成は特に限定されるものではなく、床ユニット２４０、２４０に固定して取り付けられるとともに水平スリット２５１内に配置され、床ユニット２４０の移動と回動とを可能にするものであればよい。本実施形態では通しボルト及びナットにより回動軸部材２５２、２５２が形成されている。これにより、ボルトとナットの関係で床ユニット２４０の移動及び回動の禁止と許容とを切り替えることもでき利便性が向上される。
【００５９】
次に、以上のような構造を有する床ユニット２４０と腕木２５０との関係及び床ユニット２４０の移動、回動の形態を説明する。図１２（ａ）は、床ユニット２４０と腕木２５０とが連結されたときの側面図である。図１２（ａ）は紙面右側に建物１が配置され、紙面左方向に持ち出される。図１２（ｂ）は、床ユニット２４０を水平に移動させた後の姿勢を示した側面図で、図１２（ａ）と同じ視点からの図である。図１２（ｃ）は、床ユニット２４０が回動された姿勢を示した側面図で、視点は図１２（ａ）と同じである。最初、図１２（ａ）の姿勢で取り付けられた床ユニット２４０は、図１２（ｂ）に示したように水平スリット２５１に沿って、建物１から離される方向に水平移動される。これにより床ユニット２４０の建物１から遠い側の係止部材２４４と腕木２５０との係止が解除される。そして、次に図１２（ｃ）に示したように、回動軸部材２５２を回動軸として床ユニット２４０は反時計方向に回動させることができる。これにより、床ユニット２４０の荷重を作業者が負担することがないので、少ない力で床ユニット２４０を移動及び回動させることができる。
【００６０】
次に本発明のバルコニー２１０の施工手順について説明する。バルコニー２１０の施工手順については、図１３及び図７を参照しつつ説明する。図１３は、図１３（ａ）〜（ｄ）において施工手順を並べて示した概略図である。図７は、特に足場を組む位置に着目して示した概略的な図で、図７（ａ）は上面図、図７（ｂ）は正面図である。図７は、第一実施形態のバルコニー１０を説明するときにも参照した図であるが、内容が共通なのでここでも参照する。
【００６１】
はじめに、図１３（ａ）に示したように建物１の躯体に腕木２５０を取り付ける。これについては従来の施工手順と同じで、腕木２５０は建物１から略水平方向に張り出すように建物１の外壁部に対して略直角に取り付けられる。取り付ける腕木の数は、施工するバルコニーの幅や重量等を考慮の上、必要に応じて増減することができる。図１３（ａ）の場合は２本の腕木２５０、２５０が取り付けられる。腕木間の距離は、施工すべきバルコニーの幅に略等しくなるように施工する。
【００６２】
次に、足場６０の組み立てを行う。このときバルコニー２１０では、図１３（ｂ）に示したように、上記にて建物に取り付けた腕木２５０、２５０を足場６０として利用する。すなわち、この段階で腕木２５０、２５０に床ユニット２４０を取り付けて足場の一部とする。二階建ての建物の場合には、図７（ｂ）に示したように足場は一階の床の高さ部分、二階の床の高さ部分、及び二階天井の高さ部分の３段階の高さに組み立てる。このうち一階床高さ部分、及び二階床高さ部分について床ユニット２４０を足場として利用する。また、図７（ａ）に示したように、足場６０は建物１の周囲を囲むように連続形状に組み立てられる。図７（ａ）、（ｂ）にＢで示したバルコニー２１０の設置予定部の足場６０は、腕木２５０、２５０上に取り付けられた床ユニット２４０である。
【００６３】
次には、上記のように組み立てられた足場６０を利用して建物１の外壁工事を行う。このとき、建物１の外壁と床ユニット２４０とが接する部位の外壁の施工が困難な場合がある。本発明のバルコニー２１０では、上述のように、床ユニット２４０を建物１の壁に略平行に配置された軸を中心に回動させることができる。そこで、この床ユニット２４０を、当該床ユニット２４０が水平である姿勢から回動させる。すると、図１３（ｃ）に示したように、建物１の外壁と床ユニット２４０との間に空間を作ることができるので、建物１の外壁の施工を行うことができる。
【００６４】
そして、図１３（ｄ）に示したように建物１の外壁施工が終了した後、床ユニット２４０を水平である姿勢に戻して固定し、バルコニー２１０の他の部位の施工を行う。
【００６５】
以上に説明したように、本発明の施工方法によれば、バルコニー２１０の床ユニット２４０を足場として利用するので、従来のように、バルコニー設置の前後において二度にわたって足場を組み上げる必要がない。従って、足場の取り付け費用、足場の取り外し費用の削減、足場板のレンタル費用の削減、及び工事期間の短縮などに資することができる。
【００６６】
以上、現時点において、もっとも、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴うバルコニーもまた本発明の技術的範囲に包含されるものとして理解されなければならない。
【図面の簡単な説明】
【００６７】
【図１】第一実施形態にかかるバルコニーの外観斜視図である。
【図２】図１に示したバルコニーの底部における側面からの断面図である。
【図３】腕木と床ユニットを示す斜視図である。
【図４】床ユニットの側面図である。
【図５】床ユニットの移動を示す側面図である。
【図６】バルコニーの施工の場面を示す概略図である。
【図７】足場の組み方を示す上面図及び正面図である。
【図８】第二実施形態にかかるバルコニーに備えられる床ユニットの側面図である。
【図９】床ユニットを取り外す前後の床ユニット及び腕木を示す側面図である。
【図１０】バルコニーの施工の場面を示す概略図である。
【図１１】第三実施形態にかかるバルコニーに備えられる床ユニット及び腕木の側面図である。
【図１２】床ユニットの回動前後の姿勢を示す床ユニット及び腕木の側面図である。
【図１３】バルコニーの施工の場面を示す概略図である。
【図１４】従来におけるバルコニーの施工の場面を示す概略図である。
【図１５】従来における足場の組み方を示す上面図及び正面図である。
【符号の説明】
【００６８】
１  建物
２  窓
３  外壁
１０  バルコニー
２０  立設壁部
３０  底部
３１  床板
３２  軒天
３３  軒天保持部材
３４  軒天保持部材
３５  軒天押さえ
４０  床ユニット
４１  床フレーム
４２  床下地材
４３  スリット
４４  係止部材
４５  摺動保持部材
５０  腕木
６０  足場
１４２ｃ  被支持部材
１４２ｄ  支持部材
２５１  水平スリット
２５２  回動軸部材
【図１】
0004806233.tif 000002
【図２】
0004806233.tif 000003
【図３】
0004806233.tif 000004
【図４】
0004806233.tif 000005
【図５】
0004806233.tif 000006
【図６】
0004806233.tif 000007
【図７】
0004806233.tif 000008
【図８】
0004806233.tif 000009
【図９】
0004806233.tif 000010
【図１０】
0004806233.tif 000011
【図１１】
0004806233.tif 000012
【図１２】
0004806233.tif 000013
【図１３】
0004806233.tif 000014
【図１４】
0004806233.tif 000015
【図１５】
0004806233.tif 000016